(57)【要約】【課題】  飲料時に、タンブラーの蓋体に枢着した蓋片を、開閉いずれの場合でも仮固定可能にする。【解決手段】  外筒と内筒の二重構造にした容器本体上に蓋片を有する蓋体を螺着し、前記蓋片を回転して密閉する際に、蓋片に凸部を設けて、前記蓋体の上部周辺部に設けた凹部に嵌合するとともに、蓋片を開放する際に、該蓋片のヒンジ部に沿って設けた係合条部を蓋体の溝部に係止するようにしたものである。【選択図】  図１
2013184738.tif 000002
【特許請求の範囲】
【請求項１】
中空部を介して外気に接する外筒と液体を入れる内筒とからなる容器本体と、該本体の上部開口に着脱可能にした裾部を設けた蓋体とからなり、その蓋体の上部周辺部の内側にある傾斜部には下方と上方位置にそれぞれ飲水口と通気孔とを設け、前記傾斜部にあるヒンジ部で回動自在に蓋片を設け、該蓋片には回動により前記飲水口と通気孔を密閉及び開放する栓体を設置したタンブラーにおいて、
前記蓋片を回転して密閉する際に、蓋片には前記蓋体の上部周辺部に設けた凹部に嵌合する凸部を設けるとともに、該蓋片のヒンジ部に沿って係合条部を設け、該係合条部と係合する溝部を前記蓋体に設けたことを特徴とするタンブラー。
【請求項２】
前記ヒンジ部が、前記蓋片の係合条部と同方向両端にある軸を、前記蓋体に設けた軸受けに枢着したものである請求項１に記載のタンブラー。
【請求項３】
前記蓋体の飲水口と通気孔に栓をする蓋片の栓体が、蓋片と同一の弾性を有する合成樹脂材料でできたものである請求項１又は２に記載のタンブラー。
【発明の詳細な説明】
【技術分野】
【０００１】
本発明は、保温や保冷用のタンブラー、特にタンブラーの容器本体と蓋体、なかでも不使用時における蓋体に対する蓋片の飲水口と通気孔への密閉機構と、使用時における蓋片の蓋体による一時係止機構に関する。
【背景技術】
【０００２】
本出願人の下記特許文献１の発明は、容器本体と周壁を形成した蓋体とからなり、蓋体には飲料する者の口部と鼻部とに対応する大きさの飲料の注出口に、玉継手で上下方向及び周方向に回動自在にした蓋片を備えたものである。
【０００３】
また、特許文献２は容器本体と飲み口部材とがあり、その飲み口部材の底壁には液通孔と空気孔とを設け、これらの孔を蓋部材のシール部材により密閉するようにしたものである。
【０００４】
しかし、特許文献１は注出口を鼻部を含めた口部の大きさにして、これに蓋をする蓋片のフックにより蓋体の周壁を嵌合しているものの、蓋片が蓋体を開閉可能に係止しているのは玉継手であり、コーヒー等の香りを嗅ぐという目的には適しているが、飲料時に蓋片が下方へ落下する虞れがある。
【０００５】
これに対し、特許文献２では、蓋部材の係止爪と係合片をロック部材の係止部に係止して蓋部材を安定して栓体に嵌合しているものの、蓋部材の栓体からの開閉はヒンジ軸によるものであり、一度開いた蓋部材が顔面に倒れる危険がある。
【先行技術文献】
【特許文献】
【０００６】
【特許文献１】特開２０１１−７３７９０号公報（特願２０１０−２５４０２）
【特許文献２】特許第３６２００４２号（特開２００２−１０２０７８）
【発明の概要】
【発明が解決しようとする課題】
【０００７】
本発明の課題は、上記問題点を解決するもので、容器本体上の蓋体に設けた飲水口と通気孔を開閉する蓋片を、使用時に倒れ込まず、不使用時にも前記飲水口と通気孔を確実に密閉することができる温水や冷水の飲料水を入れたタンブラーを提供することにある。
【課題を解決するための手段】
【０００８】
上記問題点を解決する手段として、本発明のタンブラーは中空部を介して外気に接する外筒と液体を入れる内筒とからなる容器本体と、該本体の上部開口に着脱可能な裾部を設けた蓋体とからなり、その蓋体の上部周辺部の内側にある傾斜部には下方位置と上方位置にそれぞれ飲水口と通気孔とを設け、前記傾斜部にあるヒンジ部で回動自在にした蓋片を設け、該蓋片には回動により前記飲水口と通気孔を密閉及び開放する栓体を設置したタンブラーにおいて、前記蓋片を回転して密閉する際に、蓋片には前記蓋体の上部周辺部に設けた凹部に嵌合する凸部を設けるとともに、該蓋片のヒンジ部に沿って係合条部を設け、該係合条部と係合する溝部を前記蓋体に設けたことを特徴とする。
【０００９】
上記外筒と内筒間の中空部は、保温や保冷のためにあり、蓋体の上面にある傾斜部には飲料水を飲む際に飲み易くする飲水口と通気孔を設けている。また、傾斜部に回動自在の蓋片を設けて前記通気孔と飲水口の密閉と開放を行う。
【００１０】
本発明の特徴は、蓋片のヒンジ部と反対側に設けた凸部を蓋体の周辺部の外側に設けた凹部に着脱自在にするとともに、蓋片のヒンジ部側の表面に係合条部を設ける一方で、蓋片をヒンジ部で回転して前記係合条部を溝部内に係合するように設けたことにある。
【００１１】
前記蓋片の係合条部と蓋体の溝部の一方又は双方はＡＢＳ等の弾性を有する合成樹脂で出来ており、前記係合条部の溝部への着脱を容易にすることができる。
【発明の効果】
【００１２】
蓋体上のヒンジ部で枢着した蓋片を回動することにより、蓋片の先端の凸部を蓋体の凹部に着脱し、蓋片表面に設けた係合条部を蓋体の溝部に嵌脱可能にすることにより、飲料しない時に蓋体の飲水口と通気孔を蓋片の栓体で密閉するとともに、飲料時には蓋片の係合条部が蓋体の溝部に係合することで蓋片の下方への落下を阻止する。
【図面の簡単な説明】
【００１３】
【図１】本発明のタンブラーの上部断面図を含む正面図である。
【図２】図１にある蓋片を蓋体から持ち上げたタンブラーの上部断面図である。
【図３】図２の蓋片を蓋体に係合した状態の上部断面図である。
【図４】本体発明のタンブラーの平面図である。
【図５】図３の状態における図４の蓋片の平面図である。
【発明を実施するための形態】
【００１４】
本発明は、飲水口と通気孔を設けた蓋体と、栓体を設けた蓋片とを組み合わせたものであり、蓋片を一方向に回転することで蓋片の凸部を蓋体の周辺部に設けた凹部に嵌合して栓体を飲水口と通気孔を密閉し、他方向への回転、すなわち蓋片を蓋体から開くことにより、前記飲水口と通気孔の密閉状態を開放し、さらに蓋片の回転を続けることによってヒンジ部側の蓋片に設けた係合条部を蓋体の溝部に係合することにより蓋片をその係合箇所から落下しないようにしたものである。
【実施例】
【００１５】
図１は、本発明である容器本体２と蓋片３を設けた蓋体４とからなるタンブラー１の全体である。
【００１６】
図２は、図１の一部縦断面図で、容器本体２は外気と直接に接する鉄製で着色した外筒５と、その外筒５と中空部７を介して冷却又は加熱した液体（図示せず）を入れるステンレス製の内筒６とから成り、その内筒６の上部開口９は外筒５の上端８に掛止している。
【００１７】
内筒６の上部開口位置の内側に雌螺子１０を形成し、この雌螺子１０に対して蓋体４の下部外周に設けた雄螺子１１を螺合している。
【００１８】
蓋体４の前記雄ネジ１１を設けた裾部上に、上部周辺部１２の内側において傾斜部１３を形成し、該傾斜部１３の略中央部には両側のヒンジ受け１４に通した軸１５とのヒンジ部２０で回動自在に枢着した蓋片３を配置している。なお、前記上部周辺部の外側には凹部２５を設けている。
【００１９】
また、蓋体４の傾斜部１３には、その下方位置に飲水口１６を、その上方位置に通気孔１７をそれぞれ設けており、これらを密閉及び開放するために蓋片の下面に大小二つの栓体１８，１９が配置されている。
【００２０】
さらに、蓋片３の表面にはヒンジ部２０を並行して、弾性を有するＡＢＳ樹脂で形成された係合条部２１を一体に設け、これに対応する位置において、やはり弾性を有する前記した同材料の蓋体４には、前記傾斜部１３との段差により段差部を設けたコーナ部２２を設けている。
【００２１】
さらに、係合条部２１とは反対側にあたる蓋片３の先部には、上部周辺部１２の一部に嵌合するフック２３を設け、フック２３の先部の内側に凸部２４を形成し、蓋片３の係止時に、前記蓋体の上部周辺部の外側に設けた凹部２５と係合できるようにしている。
【００２２】
上記構成から成る本発明の作用を以下に説明する。
図１と図４のタンブラー１は、コーヒー、ココア、紅茶等の温水や、コーヒー、各種ジュース等の冷水としての飲料水を入れる外筒５と内筒６からなる容器本体２に、ヒンジ部２０で枢着した蓋片３を有する蓋体４を螺着したもので、その蓋片３のフック２３にある凸部２４を蓋体４の周辺部１２に設けた凹部２５に嵌合している。この場合、蓋片３にある二つの栓体１８，１９は飲水口１６と通気孔１７に嵌入され、係合条部２１は上向きに位置している。
【００２３】
つぎに、図２の蓋片３の前記凸部２４は、フック２３の弾性によって凹部２５から離脱し、ヒンジ部２０の軸１５はヒンジ受け１４に枢着して、蓋片３を時計方向に回転するが、この時の図４における係合条部右側のコーナ２１−１は下向きになり、蓋体４の段差部との小さな隙間を通過する。
【００２４】
さらに、蓋片３を上記同方向に更に回転すると、蓋片の図４の係合条部２１の左側のコーナ２１−２も下向きになり、係合条部２１の幅の広さだけ前記右側のコーナ２１−１の回転径より大きい径で回転するために、その左側のコーナ２１−２が段差部上にあるコーナ部２２に接するが、蓋体４と蓋片３の弾性素材により、力を込めて蓋体３の時計方向への回転を続けると、前記接触部を通過することで、蓋片３は時計方向と逆向きの大きな力を与えない限り、図３と図５の位置に仮固定される。
【００２５】
飲料行為を終了すると、上記した順序と逆の操作により、蓋片３にあるフック２３の凸部２４を蓋体２４の凹部２５に嵌合して、蓋体４に蓋片３を保持すると同時に、二つの栓体１８，１９で飲水口１６と通気孔１７を塞ぐ。
【産業上の利用可能性】
【００２６】
保温や保冷としてのタンブラーの蓋部における蓋片の開閉に利用する。
【符号の説明】
【００２７】
１          タンブラー
２          容器本体
３          蓋片
４          蓋体
１２        蓋体の上部周辺部
１６        飲水口
１７        通気孔
１８，１９  栓体
２１        係合条部
２２        蓋体の段差部に設けたコーナ部
２４        凸部
２５        凹部
【図１】
2013184738.tif 000003
【図２】
2013184738.tif 000004
【図３】
2013184738.tif 000005
【図４】
2013184738.tif 000006
【図５】
2013184738.tif 000007